(57)【要約】【課題】ディスク装置内に設けられたＦＰＣがドロワに当たって剥がれることがないディスク装置を提供する。【解決手段】ディスク装置は、開口を有する装置筐体と、光ピックアップと駆動手段とが設けられた可動部と、装置筐体内に設けられ、可動部に設けられた光ピックアップ及び駆動手段を制御する制御手段と、装置筐体の内壁面上に、少なくともその一部が密着するように設けられ、制御手段に一端を電気的に接続すると共に光ピックアップ及び駆動手段に他端を電気的に接続し、可動部の移動に伴って変形移動するフレキシブルプリント配線板とを有する。装置筐体の内壁面上には、可動部が開口を通して装置筐体外から筐体内へ移動する方向に対向するフレキシブルプリント配線板の端面が、入り込む凹部が形成されている。【選択図】図４
2005158189.tif 000002
【特許請求の範囲】
【請求項１】
開口を有する装置筐体と、
前記開口を通して前記装置筐体内と筐体外との間で移動可能に設けられ、かつ、情報信号が記録された光ディスクの所定位置に光を照射しこの光照射に伴う前記光ディスクからの反射光を受光して受光した光を電気信号に変換する光ピックアップと、前記光ディスクを所定の回転数で回転駆動する駆動手段とが設けられた可動部と、
前記装置筐体内に設けられ、前記可動部に設けられた前記光ピックアップ及び前記駆動手段を制御する制御手段と、
前記装置筐体の内壁面上に、少なくともその一部が密着するように設けられ、前記制御手段に一端を電気的に接続すると共に前記光ピックアップ及び前記駆動手段に他端を電気的に接続し、前記可動部の移動に伴って変形移動するフレキシブルプリント配線板とを有し、
前記装置筐体の内壁面上には、前記可動部が前記開口を通して前記装置筐体外から筐体内へ移動する方向に対向する前記フレキシブルプリント配線板の端面が、入り込む凹部が形成されていることを特徴とするディスク装置。
【請求項２】
前記凹部の深さは、前記端面の上端が前記装置筐体の表面よりも前記深さ方向においてより深い位置になるように、形成されることを特徴とする請求項１に記載のディスク装置。
【請求項３】
前記凹部は、前記フレキシブルプリント配線板の前記内壁面に密着するように設けられた部分が全体にわたって入り込む広さを有することを特徴とする請求項１又は請求項２に記載のディスク装置。
【発明の詳細な説明】
【技術分野】
【０００１】
本発明は、ＣＤ−ＲＯＭ、又はＤＶＤ−ＲＯＭ等の情報記録媒体の情報を再生するディスク装置に関する。
【背景技術】
【０００２】
従来より、ノート型パソコン等対応のディスクドライブとして、光ディスクを回転駆動し再生するためのディスク駆動及び再生機構が搭載されたドロワと、このドロワを収納可能なキャビネットとからなる薄型構造のディスク装置がある（例えば、特許文献１参照）。
【０００３】
図７に、そのディスク装置の例を示す。図７は、ディスク装置の全体的な構成を示す平面図である。図８は、図７のＡ−Ａ線に沿ったディスク装置の断面を示す断面図である。このようなディスク装置の、例えば前面に設けられたイジェクトボタン５３をユーザが押すことにより、ドロワ５１がキャビネット５２から排出され、ユーザは、ドロワ５１のディスク装着面上に光ディスクを搭載したり、ディスク装着面から光ディスクを取出すことができる。また、ユーザが排出されたドロワ５１を手動によりキャビネット５２内に挿入すると、キャビネット５２内にドロワ５１が収納される。
【０００４】
ドロワ５１は、光ピックアップ等の光学系と、モータ等の駆動系を有し、フレキシブルプリント配線板（以下、ＦＰＣともいう）５４を介して、キャビネット５２側の回路基板と接続されている。
【０００５】
ＦＰＣ５４は、キャビネット５２に設けられた端子５５と接続される一端及びドロワ５１に設けられた端子５６と接続される他端とを有し、キャビネット５２とドロワ５１との間で送受信される信号を伝送すると共にキャビネット５２からドロワ５１へ供給される電力を伝送する。
【０００６】
このＦＰＣ５４は、曲げ剛性の弱い、いわゆるフレキシブルな材料から成る基板と、端子５５に接続される一端と端子５６に接続される他端とが電気的に接続されるように、基板に配線された導電体から成る回路とによって構成される。図８に示すように、このような構成から成るため、ドロワ５１がキャビネット５２内に収納されるとき、及びキャビネット５２から引き出されるとき、ＦＰＣ５４は、屈曲自在に変形し、キャビネット５２に対してドロワ５１が収納された状態及び引き出された状態のどちらの状態にある場合も、キャビネット５２とドロワ５１との間の電気的な接続を可能とする。
【特許文献１】特開平１０−１９９２０７（図１）
【発明の開示】
【発明が解決しようとする課題】
【０００７】
しかし、ドロワ５１が、キャビネット５２に収納されるとき、ドロワ５１が、キャビネット５２内に設けられたＦＰＣ５４の端面に当たることがあった。図９は、図７のＢ−Ｂ線に沿ったディスク装置の部分断面図である。
【０００８】
図９に示すように、本来は、ドロワ５１は、キャビネット５２内に実線で示すように適切に収納されるが、何らかの衝撃等の力がドロワ５１に加わったときに、一点鎖線で示すように、キャビネット５２の内壁面に接着剤等で貼り付けられたＦＰＣ５４の端面にドロワ５１が当たることがあった。これは、ディスク装置の構造設計において、ドロワ５１とＦＰＣ５４の位置関係が、互いの距離に所定のクリアランスを設けるようにしても、あらゆる衝撃等を考慮することができないからである。
【０００９】
ドロワ５１がＦＰＣ５４の端面に当たり、ＦＰＣ５４がドロワ５１の当たったところから剥がれると、剥がれたＦＰＣ５４がキャビネット５２内においてドロワ５１の動きを阻害してドロワ５１のキャビネット５２内への収納ができなくなったり、あるいはドロワ５１がキャビネット５２から引き出せなくなったりする故障の発生に繋がる。
【００１０】
なお、ドロワ５１とＦＰＣ５４の位置関係において、互いの距離に所定のクリアランスを大きく取る等も可能であるが、ディスクドライブの薄型化要求に応じて、ディスクドライブはより薄い構造を有するようになってきていることとのバランスから、クリアランスを大きく取ることにも限度がある。
【００１１】
本発明は、このような課題を解決するためになされたものであり、ディスク装置内に設けられたＦＰＣがドロワに当たって剥がれることがないディスク装置を提供することを目的とするものである。
【課題を解決するための手段】
【００１２】
ディスク装置は、開口を有する装置筐体と、前記開口を通して前記装置筐体内と筐体外との間で移動可能に設けられ、かつ、情報信号が記録された光ディスクの所定位置に光を照射しこの光照射に伴う前記光ディスクからの反射光を受光して受光した光を電気信号に変換する光ピックアップと、前記光ディスクを所定の回転数で回転駆動する駆動手段とが設けられた可動部と、前記装置筐体内に設けられ、前記可動部に設けられた前記光ピックアップ及び前記駆動手段を制御する制御手段と、前記装置筐体の内壁面上に、少なくともその一部が密着するように設けられ、前記制御手段に一端を電気的に接続すると共に前記光ピックアップ及び前記駆動手段に他端を電気的に接続し、前記可動部の移動に伴って変形移動するフレキシブルプリント配線板とを有し、前記装置筐体の内壁面上には、前記可動部が前記開口を通して前記装置筐体外から筐体内へ移動する方向に対向する前記フレキシブルプリント配線板の端面が、入り込む凹部が形成されている。
【発明の効果】
【００１３】
本発明によれば、ＦＰＣが剥がれて故障等することがないディスク装置を実現できる。
【発明を実施するための最良の形態】
【００１４】
以下、本発明を実施の形態に基づいて、図面を用いて説明する。
【００１５】
図１は、本実施の形態に係る、いわゆるノート型パソコン対応のＤＶＤ−ＲＯＭドライブの全体的な構成を示す斜視図である。図２は、図１のＤＶＤ−ＲＯＭドライブの平面図である。
【００１６】
ディスク装置としてのＤＶＤ−ＲＯＭドライブは、図示しない光ディスク（以下、単にディスクともいう）を駆動および再生するためのディスク駆動・再生機構が搭載された可動部であるドロワ１と、このドロワ１を収納可能な装置筐体（以下、単に筐体という）としてのキャビネット２とから構成されている。キャビネット２は、上側キャビネットと下側キャビネットから構成されているが、同図では上側キャビネットの図示を省略してある。ドロワ１は、キャビネット２に対して矢印Ｙ１−Ｙ２方向に出し入れ自在である。そのために、キャビネット２の両側内壁にはドロワ１をガイド支持するための断面形状がコの字状のガイドレール３が各々固定されており、これらのガイドレール３に、ドロワ１の両側に設けられたガイド突起４が、スライドレール５を介して各々嵌め込まれた形態で支持されている。
【００１７】
ドロワ１には、情報記録媒体であるディスクの外形に対応した凹部からなるディスク搭載部６と、ディスクモータ（図示せず）及びターンテーブル７等のディスク駆動機構と、回転するディスクの所定の記録領域にレーザ光を照射してその照射光に伴う反射光を受光して、その受光した光を電気信号に変換することによって、ディスクからデータを読み出す光ピックアップ８と、この光ピックアップ８をディスクの半径方向に搬送する図示しないピックアップ送り機構などが設けられている。以上のディスクを駆動する機構と光ピックアップ８を支持し搬送する機構とは、単一のメカシャーシ９上に搭載されており、このメカシャーシ９は、ドロワ１にダンパーゴム等の防振部材を介してフローティング構造で支持されている。さらに、ドロワ１の排出方向における先端部分には、ディスクの再生時等においてドロワ１のキャビネット２内への収納状態を保持するとともに、ディスクの交換時等にイジェクトボタン１０を押すことによりキャビネット２からドロワ１を引き出させるイジェクトロック機構１１が設けられている。
【００１８】
図３は、図２に示すＤＶＤ−ＲＯＭドライブのＸ−Ｙ断面図を模式的に示す図である。図２及び図３は、キャビネット２からドロワ１が完全に引き出された状態を示している。
【００１９】
キャビネット２内には、主として天板２１、底板２２、及び開口２３から成ると共に、ＤＶＤ−ＲＯＭドライブの動作を制御するための制御手段としてのメイン基板２４が設けられている。天板２１及び底板２２は対向する一対の内壁面を有しており、ドロワ１は、この内壁面に沿って開口２３を通してキャビネット２の内と外との間で移動可能となっている。メイン基板２４は、外部コンピュータとの間で信号の送受信を行うと共に、コネクタである端子２５に接続されたＦＰＣ２６を介して、ドロワ１との間での信号の送受信及びドロワ１に対しての電力の供給などを行い、ＤＶＤ−ＲＯＭドライブの動作制御を行うための回路基板である。このキャビネット２内には、メイン基板２４を設けるために空間２７が確保される。
【００２０】
また、ドロワ１は、光ピックアップ８などの光学系、及びスピンドルモータ２８などの駆動系を有している。光ピックアップ８は、ＤＶＤ−ＲＯＭドライブに装着された情報記録媒体であるディスクの所定位置に光ビームを照射すると共に、この照射によって生ずる反射光を受光し、受光した光を電気信号に変換することによって、ディスクに記録された情報信号を読み取るためのものである。駆動手段としてのスピンドルモータ２８は、ディスクからの情報信号の読み出しが所定の読み出し速度で行われるように、ディスクを所定の回転速度で回転させるためのものである。また、駆動手段としてのスレッドモータ（図示せず）は、モータ回転軸と図示しないギヤとが連結し合うことによって、光ピックアップ８をディスクの半径方向へ移動させ、ディスク上の所定位置に光照射を行わせる。これらの光学系及び駆動系は、コネクタである端子２９に接続されたＦＰＣ２６を介して、キャビネット２のメイン基板２４との間で信号の送受信、及びキャビネット２からの電力の供給を受けることによって、メイン基板２４は、ドロワ１に設けられた光ピックアップ８及び駆動手段の制御を行うことができる。
【００２１】
このドロワ１は、ディスクが装着されるディスク装着面３１をキャビネット２の内部及び外部に位置させることを可能とする機構によって、即ち、キャビネット２に対して図２の矢印１Ａで示される方向にドロワ１が移動可能となる機構によって、ドロワ１がキャビネット２から引き出された状態ではディスク装着面３１がキャビネット２の外部に位置するようにキャビネット２から引き出されると共に、ドロワ１がキャビネット２内に収納された状態ではディスク装着面３１がキャビネット２の内部に位置するようにキャビネット２に挿入される。そのために、ＤＶＤ−ＲＯＭドライブは、キャビネット２の内側面及びドロワ１の外側面に設けられた、ガイドレール３、ガイド突起４及びスライドレール５が互いに係合した、はしごのように伸縮自在な構成から成る機械的な機構を利用している。
【００２２】
ＦＰＣ２６は、キャビネット２に設けられた端子２５と接続される一端及びドロワ１に設けられた端子２９と接続される他端とを有し、キャビネット２とドロワ１との間で送受信される信号を伝送すると共にキャビネット２からドロワ１へ供給される電力を伝送する。
【００２３】
このＦＰＣ２６は、シート材であり、曲げ剛性の弱い、いわゆるフレキシブルな材料から成る帯形状の絶縁性の基材と、端子２５に接続されるＦＰＣ２６の一端と端子２９に接続されるＦＰＣ２６の他端とが電気的に接続されるように、その基材に配線パターンとして形成された導電体から成る回路とによって構成される。このような構成から成るために、ＦＰＣ２６はキャビネット２に対するドロワ１の、上述した収納及び引き出し動作に伴って、屈曲自在に変形する。
【００２４】
ＦＰＣ２６は、図1及び図２に示すように、キャビネット２における底板２２の内壁面に沿って接着剤等によって密着して固定される第一の部分２６ａと、キャビネット２における底板２２の内壁面に沿って接着剤等によって一部は密着して固定されているが、他の部分は密着して固定されていない第２の部分とを有する。第１の部分２６ａは、端子２５近傍を除き、底板２２の内壁面状に密着するように貼り付けられている。第２の部分２６ｂのうち、開口２３の近傍の部分は、底板２２の内壁面状に密着するように貼り付けられている。第１の部分２６ａの一部である一端が、キャビネット２内の端子２５に接続されている。第２の部分２６ｂの一部であって、底板２２の内壁面に貼り付けられていない一端が、ドロワ１に設けられた端子２９に接続されている。第２の部分２６ｂの、底板２２の内壁面に貼り付けられていない部分は、ドロワ１がキャビネット２から引き出された場合には、略Ｕ字状に屈曲し、ドロワ１がキャビネット２内に挿入された場合には、底板２２の内壁面に沿ってキャビネット２とドロワ１との間に位置する。
【００２５】
また、ガイドシート３２が、ＦＰＣ２６の第２の部分２６ｂの変形動作をガイドするために設けられている。ガイドシート３２は、例えばポリ・エチレン・テレフタレートのような曲げ剛性の弱い、いわゆるフレキシブルな材料から成る板状の部材であり、ＦＰＣ２６と同様に屈曲自在に変形可能である。ガイドシート３２の一端は、ＦＰＣ２６の第２の部分２６ｂの所定の位置、例えば中央部に固定され、他端は、ドロワ１の端部に固定される。その結果、ドロワ１が収納されるべき空間よりも大きいたわみが第２の部分２６ｂに生じて、第２の部分２６ｂの一部が装置外部へ押し出すことがないように、ドロワ１がキャビネット２内に挿入される際、ガイドシート３２は、ＦＰＣ２６の第２の部分２６ｂの変形形状をガイドする。
【００２６】
以上のように、ＦＰＣ２６は、キャビネット２に対してドロワ１が収納された状態及び引き出された状態のどちらの状態にある場合も、キャビネット２とドロワ１との間で電気的な接続を可能とするように、キャビネット２とドロワ１との間に設けられている。このＦＰＣ２６は、ディスクをドロワ１に装着可能なようにドロワ１がキャビネット２から引き出された場合にも、キャビネット２とドロワ１との間で電気的接続ができる必要な長さを少なくとも有する。さらに、ＦＰＣ２６は、ドロワ１がキャビネット２内に完全に収納された場合には、キャビネット２における底板２２の内壁面とドロワ１の底面との間に配置されるように、キャビネット２の内部で折り返される。
【００２７】
図４は、ドロワ１がキャビネット２内に収納される途中の状態を示す部分断面図である。図４は、図２に示すＤＶＤ−ＲＯＭドライブのＸ１−Ｙ１線に沿った部分断面図である。
【００２８】
キャビネット２の底面に接着剤等で貼り付けられたＦＰＣ２６は、開口２３に対向する端面２６ｃを有している。言い換えると、ＦＰＣ２６の一部の端面２６ｃは、ドロワ１がキャビネット２内に収納されるときにドロワ１がキャビネット２内に進んで来る方向に対向している。その端面２６ｃは、図２及び図４に示すように、上述した第１の部分２６ａ及び第２の部分２６ｂの端面である。
【００２９】
キャビネット２の底板２２の内壁側の表面には、凹部２２ａが設けられている。ドロワ１が開口２３を通してキャビネット２の外から内へ移動する方向に対向する端面２６ｃを含むＦＰＣ２６の辺部が貼り付けられる底面２２の表面上の部分に、凹部２２ａは、形成されている。従って、ＦＰＣ２６の端面２６ｃが凹部２２ａの内側に入り込むように、底板２２に密着して設けられる。
【００３０】
従って、図４において点線で示すように、ドロワ１がキャビネット２内に、傾いて進入してきた場合であっても、ドロワ１が端面２６ｃに当たることはなくなるので、ＦＰＣ２６が底板２２から剥がれることはない。ドロワ１がＦＰＣ２６の端面２６ｃでなく、表面２６ｄに当たったとしても、ドロワ１の動作自体には影響も少なく、かつＦＰＣ２６が端面２６ｃから剥がれるようなこともない。凹部２２ａは、例えば、しぼり加工等のプレス加工によって形成される。
【００３１】
図５は、図４の一部の部分拡大断面図である。図５に示すように、ＦＰＣ２６の端面２６ｃが凹部２２ａ内に入り込むように、ＦＰＣ２６は、底板２２の表面に密着して設けられているが、凹部２２ａ内における端面２６ｃの上端２６ｅの位置が、凹部２２ａの深さ方向において、底板２２の表面２２ｂ以下になるように、凹部２２ａの深さは、形成される。言い換えると、凹部２２ａの深さは、端面２６ｃの上端２６ｅの位置が、キャビネット２の底板２２の表面２２ｂと同じか、あるいは表面２２ｂよりも深さ方向においてより深い位置になるように形成される。従って、図５に示すように、底板２２の表面２２ｂと、端面２６ｃの上端２６ｅとの、深さ方向における距離差ｄは、０（ゼロ）以上となるように、凹部２２ａは形成されるので、ドロワ１がＦＰＣ２６の端面２６ｃに直接当たることはない。
【００３２】
具体的には、ＦＰＣ２６の厚さが、例えば、０．１ｍｍであるとき、凹部２２ａは、例えば、ドロワ１の移動方向に沿った長さである幅が１０ｍｍで、深さが０．２ｍｍで、端面２６ｃの長さを有する場合には、ＦＰＣ２６の端部２６ｃが、凹部２２ａに入り込んだときに、上端２６ｅは、底板２２の表面２２ｂよりも深い位置にある。よって、ドロワ１がＦＰＣ２６の端面２６ｃに直接当たることはない。
【００３３】
しかし、凹部２２ａの深さが、ＦＰＣの端部２６ｃが、凹部２２ａに入り込んだときに、上端２６ｅが底板２２の表面２２ｂよりも深い位置にないような深さであっても、ドロワ１は、従来に比べ、端面２６ｃに当たりにくくなる。
【００３４】
以上のように、本実施の形態によれば、ドロワ１がキャビネット２内に収納されるとき、ドロワ１がＦＰＣ２６の端面２６ｃに当たることがないので、ＦＰＣ２６が底板２２から剥がれてしまい、動作不良となるようなことがないＤＶＤ−ＲＯＭドライブを実現することができる。よって、ＤＶＤ−ＲＯＭドライブの構造において、あらゆる衝撃等を考慮して、ドロワとＦＰＣの互いの距離に大きなクリアランスを取ることも少なくなり、さらに、ＤＶＤ−ＲＯＭドライブが搭載されるパーソナルコンピュータ等もより小型化できる。
【００３５】
なお、上述した例では、凹部２２ａは、端面２６ｃを含むＦＰＣ２６の端面２６ｃの辺部のみが入り込むように、底板２２上に形成されているが、図６に示すように、凹部が、ＦＰＣ２６の底板２２に貼り付けられる部分全体にわたって入り込むような広さを有するに、形成してもよい。図６は、底板２２に貼り付けられるＦＰＣ２６全体が入り込むように凹部が形成されている他の例を説明するための断面図である。
【００３６】
図６に示すように、ＦＰＣ２６の底板２２に貼り付けられる部分が全体にわたって、凹部２２Ａ内に入り込むように、ＦＰＣ２６は、底板２２の表面に密着して設けられている。凹部２２Ａ内におけるＦＰＣ２６の上側表面２６Ｄの位置が、深さ方向において、底板２２の表面２２Ｂ以下になるように、凹部２２Ａの深さは、形成されている。
【００３７】
また、以上の例では、ＦＰＣ２６の端面２６ｃは、ドロワ１の移動方向に直交する方向に設けられている例で説明したが、ＦＰＣ２６の端面は、ドロワ１の移動方向に対して直交しない所定の角度、例えば４５度を有しているものであってもよい。
【００３８】
さらに、なお、以上の例は、ＤＶＤ−ＲＯＭドライブで説明したが、他の記録媒体、例えばＣＤ，ＭＯ（光磁気ディスク）等のための他のドライブ装置であっても、本発明は適用できるものである。
【図面の簡単な説明】
【００３９】
【図１】本発明の実施の形態に係るＤＶＤ−ＲＯＭドライブの全体的な構成を示す斜視図である。
【図２】図１のＤＶＤ−ＲＯＭドライブの平面図である。
【図３】図２に示すＤＶＤ−ＲＯＭドライブのＸ−Ｙ断面図を模式的に示す図である。
【図４】図２に示すＤＶＤ−ＲＯＭドライブのＸ１−Ｙ１線に沿った部分断面図である。
【図５】図４の部分拡大断面図である。
【図６】底板に凹部が形成されている他の例を説明するための断面図である。
【図７】従来の技術に係るディスク装置の全体的な構成を示す平面図である。
【図８】図７のＡ−Ａ線に沿ったディスク装置の断面を示す断面図である。
【図９】図７のＢ−Ｂ線に沿ったディスク装置の部分断面図である。
【符号の説明】
【００４０】
１  ドロワ、２  キャビネット、３  ガイドレール、４  スライド突起、５  スライドレール、６  ディスク搭載部、７  ターンテーブル、８  ピックアップ、９  メカシャーシ、１０  イジェクトボタン、１１  ロック機構、２２  底板、２２ａ，２２Ａ  凹部、２３  開口、２４  メイン基板、２５、２９  端子、３１  ディスク装着面、２６  ＦＰＣ、２６ｃ  端面
代理人    弁理士    伊  藤    進
【図１】
2005158189.tif 000003
【図２】
2005158189.tif 000004
【図３】
2005158189.tif 000005
【図４】
2005158189.tif 000006
【図５】
2005158189.tif 000007
【図６】
2005158189.tif 000008
【図７】
2005158189.tif 000009
【図８】
2005158189.tif 000010
【図９】
2005158189.tif 000011